(57)【要約】【課題】  孔付きシートに回転自在に取着される係留クリンチナットを提供する。【解決手段】  このナットは、軸方向ネジ孔を有する本体と、ナット本体のベースを形成するフランジとを有する。このフランジはその底面に、前記シートに対し摩擦を低減させた支承面を提供する表面を有し、これは好ましくは一体的に形成されている。ナット本体と一体化したディスプレイサーがフランジの直下に配設され、その外径がフランジの外径よりも小さくなっている。ナット本体と一体的になった朝顔形管状軸部がディスプレイサーから同軸的に延出し、これはディスプレイサーに隣接する首部を有し、その外径はディスプレイサーの外径よりも小さく、軸部の外側と、ディスプレイサーの下面との間に前記シートの金属の常温流れを受理するためのアンダーカット領域を形成している。【選択図】図３
2008544160.tif 000002
【特許請求の範囲】
【請求項１】
孔付きシートに回転自在に取着される係留クリンチナットであって：
軸方向ネジ孔を有するナット本体と；
該ナット本体の底面に形成され摩擦を低減させた第１の支承面と；
該ナット本体と一体をなすディスプレイサーであって、該支承面の直下に配置され、その外径がフランジの外径よりも小さくなっているものと；
該ナット本体と一体的に設けられた朝顔形管状軸部であって、該ディスプレイサーから同軸的に延出したものと；
を具備してなり；
該ディスプレイサーに隣接する軸部の首部が、ディスプレイサーの外径よりも小さい外径となっていて、この軸部の外側と、ディスプレイサーの下面との間に前記シートの金属の常温流れを受理するためのアンダーカット領域を形成していることを特徴とする係留クリンチナット。
【請求項２】
前記ナット本体のベースを形成するフランジを更に有する請求項１記載のクリンチナット。
【請求項３】
請求項２記載の係留クリンチナットを含む部品のアッセンブリーであって、孔を形成したシートを更に具備してなり、該ナット本体のディスプレイサーおよび軸部が該シート内に該孔と同軸的に配置され、該シートの一部をディスプレイサーの下面と該軸部の外表面との間に設けられたアンダーカット内に存在させたものであって；
前記ディスプレイサーおよびフランジの外表面と、該シートの孔の内壁面との間の空間が、ナットがシートから軸方向に実質的に変位するのを防止しつつ、シート内にて自由に回転し得るようにしたアッセンブリー。
【請求項４】
前記ディスプレイサーの厚みおよび前記軸部の長さが前記シートの厚みよりも小さくなっていて、該軸部が該シートの裏面を越えて延出しないようになっている請求項３記載のアッセンブリー。
【請求項５】
前記ナットが、前記シートよりも実質的に大きい硬度を有する材料からなっている請求項４記載の部品のアッセンブリー。
【請求項６】
前記フランジが比較的非変形性のものである請求項５記載の部品のアッセンブリー。
【請求項７】
前記アンダーカット領域内に存在している前記シートの一部が、該シートの金属の常温流れにより受理されたものである請求項６記載の部品のアッセンブリー。
【請求項８】
外表面に工具係合平坦面を有する頭部を更に有する請求項２記載のクリンチナット。
【請求項９】
前記頭部が六角形断面を有するものである請求項８記載のクリンチナット。
【請求項１０】
前記ねじ孔が前記ナットの全長に沿って延出している請求項９記載のクリンチナット。
【請求項１１】
前記ディスプレイサーおよび軸部の外表面が、前記シートに対し前記ナットの支承面を提供するため、摩擦を減少させるものである請求項１記載のクリンチナット。
【請求項１２】
前記第１の支承面が前記ナットと一体をなすものである請求項１記載のクリンチナット。
【請求項１３】
前記ディスプレイサーが内側にテーパーをなしている請求項１記載のクリンチナット。
【発明の詳細な説明】
【技術分野】
【０００１】
本願は２００４年１１月５日付出願の仮特許出願第６０／６２５，０９４「回転自在な係留ナット」に関連し、これに関する優先権を主張するものである。
本発明は材料シート内に回転自在に係留させ、他の部材との係合可能にした留め金具に関する。より具体的には、本発明は、クリンチ取着法を介して変形させた金属シートにより工具回転自在に係留させた留め金具に関する。
【背景技術】
【０００２】
留め金具工業において、現存のクリンチナットのように係留され、しかも回転させてネジ又はボルトと係合させ締付け荷重を提供できるようにしたナットについての要望が存在する。一例として、係留固定植込みボルト（スタッド）を係留ナットとの関連で使用することが必要な場合がある。これは双方の嵌め合い部材、すなわち、植込みボルトとナットをシート内で係留することを可能にするものである。これら係留部材の利益としては、ルース・ハードウエアの排除、ＢＯＭ在庫の減少、製造および組立ての容易化、コスト節減が含まれる。
【０００３】
例えば、米国特許Ｎｏ．６，８６６，４５６号明細書（文献１）に示すように、シートの反対側でナットの軸部をワッシャー内に朝顔形に広げることによりシートに回転自在な係留ナットを設けることが知られている。しかし、この構成のものは、シートの反対側に特別のアンビルを配置させるものであり、ワッシャーの存在のため、締付け荷重をシートの裏側に直接、適用することができない。更に、単純なステーキ・ナットも知られており、これはシートの裏側に対し変形する延出軸部を有するものである。これも第２の設置部材、すなわち、アンビルを必要とし、面一の取着を提供するものではない。
【０００４】
【特許文献１】米国特許Ｎｏ．６，８６６，４５６号明細書
【発明の開示】
【発明が解決しようとする課題】
【０００５】
本発明は、このような従来技術の好ましくない特徴によりもたらされる問題を解決するものである。
【課題を解決するための手段】
【０００６】
本発明の装置は、従来技術とは異なり抗トルク機構を有しないクリンチナットであり、シートグリップ構造を有し、剛直取着を提供することができる。このクリンチナットの軸部はディスプレイサー（押し退け部）と、アンダーカットとを有するが、刻みタイプのぎざぎざのような抗トルク機構を有していない。この点において、平滑表面の軸部がナットのフランジから延出している。このフランジは支承面を提供するものであり、これにはナットの回転を阻害したり、基板表面を妨げるような突起および不規則部が存在しない。ナットの頭部は如何なる形状のものでもよい。しかし、設計の共通性からして六角形が好便なナット形状として推奨される。フランジ上の標準的六角形は、通常のレンチおよびソケットとの係合が可能でナットを回転させることができるが、その他の形状も適用可能である。例えば、２つの平坦面を有する円形、エイコーン・ナット又はより風変りな形状のものも利用することができる。この頭部の高さは所望のナット強度を付与するのに十分なものとすべきである。ナットの材料の選択はその構造が正しく機能するようにするために重要である。この部品は係合させるものであるから、この部品の硬さは、基板パネルの降伏を生じさせるのに十分なものでなければならない。これらの問題は他のクリンチ用留め金具と共通するものであり、当業者にとって明らかであろう。
【０００７】
より具体的には、本発明は、孔付きシートに回転自在に取着される係留クリンチ（ｃｌｉｎｃｈ）ナットを提供するものであって、これは軸方向ネジ孔を有するナット本体と、このナット本体のベースを形成するフランジとを具備してなる。このフランジはその底面と好ましくは一体をなす表面を有し、シートに対し摩擦を低減させた支承面を提供している。このナット本体と一体をなすディスプレイサーは、フランジの直下に設けられていて、その外径はフランジの外径よりも小さくなっている。このナット本体と一体的になった朝顔形軸部はディスプレイサーから同軸的に延出し、ディスプレイサーに隣接する首部を有し、この首部の外径はディスプレイサーの外径よりも小さくなっていて、シートの金属の常温流れを受理するため、この軸部の外側と、ディスプレイサーの下面との間にアンダーカット領域を形成している。ディスプレイサーの外表面および軸部の外表面は、シートの孔の内壁に対し、ナットの支承面を提供するため摩擦を少なくしたものとなっている。ディスプレイサーの側面は、好ましくは内側にテーパーをなしたものとする。この係留ナットはシートと共に使用され、ナット本体のディスプレイサーおよび軸部はシート内部に配置され、孔と同軸となっており、シートの一部はディスプレイサーの底面と、軸部の外表面との間に位置するアンダーカット領域内に介在するようになっている。ディスプレイサーおよびフランジの外表面と、シートの孔の内壁面との間の空間は、ナットがシートから軸方向に実質的に変位するのを防止しつつ、シート内にてナットが自由に回転し得るようになっている。好ましくは、ディスプレイサーの厚みおよび軸部の長さは、シートの厚みよりも小さくなるようにして、軸部がシートの裏面から突出することのないようにする。このナットは、比較的延性の大きい材料のシートと共に使用し、フランジが比較的変形しないままに留まるようにし、従って、ナットは、シートよりも実質的に大きい硬度の材料から形成される。
【０００８】
以下の図面および好ましい実施例の記載から、本発明の上記目的が達成し得ることが当業者により理解されるであろう。なお、本発明を特定の実施例を参照して説明するが、以下の記載は単に本発明の説明のためのものであり、本発明を制限するものと理解されるべきではない。これら好ましい実施例に対し、本発明の趣旨および範囲を逸脱することなく種々の変形が可能であることが当業者により理解されるであろう。なお、理解を容易にするため、以下の種々の図面を通して、同種部材については同一符号が付されている。
【発明を実施するための最良の形態】
【０００９】
図１を参照すると、本発明の留め金具がナットの形状のものとなっている。このナットは頭部１を有し、この頭部１には、ナットに対し回転トルクを適用するための工具係合平坦面２を複数有している。この工具係合面について好ましいものは六面構造である。このナットは更にフランジ３を有し、これは平滑底面１１を有し、この平滑底面１１は、ナットが設置されるシート（図３に示す）に対しての第１の支承面となっている。このナットはクリンチ法により設置され、この場合、下方軸部８にはディスプレイサー５と、アンダーカット６とが設けられている。このディスプレイサーは内側に向かってテーパーをなしている。ナットの軸部はシート内の孔を貫通して配置される。ナットを十分なる延性材料からなるシート内に圧入させたとき、ディスプレイサーがシート材料の強制的常温流れをアンダーカット６内に向けて生じさせ、それによりナットをシートに取着させることができる。
【００１０】
図２に示すように、軸部の首部で始まるアンダーカット構造６は上記ディスプレイサー５の直下に設けられている。このナットの雌ねじ部７はナットの全長に亘って形成されている。管状軸部８およびディスプレイサー５の外表面は平滑面となっており、ナットのフランジ３の底面１１と共に支承面としての機能を高めるため、摩擦を少なくしたものとなっている。
【００１１】
図３を参照すると、ナットがシート９内に設置されており、このシートの孔の径および厚みは、図１，２に示すナットの寸法との関係で適合したものとなっており、シートの金属の常温流れがディスプレイサーまたはフランジの外表面に対し緊密に押圧することのないようにしている。シートと、ナットとの間の空間１０は、ナットがシート９内で自由に回転可能となっており、同時に、朝顔形軸部８と、ディスプレイサー５との間のアンダーカット内に位置するシート材料の常温流れのため、かなりの引き抜け抵抗が確保されるものとなっている。フランジ３の底面１１はシート９の上面に支持され、かつ、その性能を向上させるため、摩擦の少ない平滑面のものとなっている。
【００１２】
以上の説明から、当業者が本発明に対し、その他の改良、変形を行うことも可能であると思われるが、本発明は特許請求の範囲およびその均等物によってのみ制限されるべきである。
【図面の簡単な説明】
【００１３】
【図１】本発明のナットの正面図。
【図２】図１のナットの底面を示す等角斜視図。
【図３】図１のナットの縦断面図。
【符号の説明】
【００１４】
１        頭部
２        工具係合平坦面
３        フランジ
５        ディスプレイサー
６        アンダーカット
７        雌ねじ
８        下方軸部
９        シート
１０      空間
１１      平滑底面
【図１】
2008544160.tif 000003
【図２】
2008544160.tif 000004
【図３】
2008544160.tif 000005
【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
孔付きシートに回転自在に取着される係留クリンチナットであって：
軸方向ネジ孔を有するナット本体と；
該ナット本体の底面に形成された第１の支承面と；
該ナット本体と一体をなすディスプレイサーであって、該支承面の直下に配置され、その外径が該第１の支承面の外径よりも小さくなっているものと；
該ナット本体と一体的に設けられた非変形性朝顔形管状軸部であって、該ディスプレイサーから同軸的に延出し、先端方向に向けて外側に広がっているものと；
を具備してなり；
該ディスプレイサーに隣接する軸部の首部が、ディスプレイサーの外径よりも小さく、かつ、前記拡張端部の外径よりも小さい外径となっていて、その間に前記シートの金属の常温流れを受理するためのアンダーカットを形成していることを特徴とするクリンチナット。
【請求項２】
外側に延出するフランジを更に有し、前記ナット本体のベースを形成している請求項１記載の係留クリンチナット。
【請求項３】
請求項１記載の係留ナットを含む部品のアッセンブリーであって、孔を形成したシートを更に具備してなり、該ナット本体のディスプレイサーおよび軸部が該シート内に該孔と同軸的に配置され、該シートの延性変形部分を前記アンダーカット内に存在させたものであって；
前記係留ナットの外表面と、該シートの孔の内壁面との間の空間が、ナットがシートから軸方向に実質的に変位するのを防止しつつ、シート内にて自由に回転し得るようにしたアッセンブリー。
【請求項４】
前記ディスプレイサーと、前記軸部との組合せ長さが前記シートの厚みよりも小さくなっていて、該軸部が該シートの裏面を越えて延出しないようになっている請求項３記載の部品のアッセンブリー。
【請求項５】
前記ナットが、前記シートよりも実質的に大きい硬度を有する材料からなっている請求項４記載の部品のアッセンブリー。
【請求項６】
前記アンダーカット領域内に存在している前記シートの一部が、該シートの金属の常温流れにより受理されたものである請求項５記載の部品のアッセンブリー。
【請求項７】
外表面に工具係合平坦面を有する頭部を更に有する請求項２記載の係留クリンチナット。
【請求項８】
前記頭部が六角形断面を有するものである請求項７記載の係留クリンチナット。
【請求項９】
前記ねじ孔が前記ナットの全長に沿って延出している請求項８記載の係留クリンチナット。
【請求項１０】
前記ディスプレイサーおよび軸部の外表面が、前記シートに対し前記ナットの支承面を提供するため、摩擦を減少させるものである請求項１記載の係留クリンチナット。
【請求項１１】
前記第１の支承面が前記ナット本体と一体をなすものである請求項１記載の係留クリンチナット。
【請求項１２】
前記ディスプレイサーが内側にテーパーをなしている請求項１記載の係留クリンチナット。
【国際調査報告】
2008544160.tif 000006